(57)【要約】      （修正有）【課題】フレームラックを提供する。【解決手段】フレームラックは、支柱１、棚板２、接合部材３を含む。支柱１は中空柱体で外壁１１を有し、外壁１１内側の様々な高さの位置に複数の溝孔１２を設け、溝孔１２は位置決め部１２２を有する。棚板２は地面と平行に設置され、中央は地面と平行な支持部２１を有する。棚板２の中央に近づく方向は内側、棚板２の中央から離れる方向は外側とする。端縁に少なくとも一つの嵌合プレート２２を設置し、嵌合プレート２２に第１嵌め溝２３を設け、第１嵌め溝２３は第１支持端２３２を有する。接合部材３は柱状体で、内側と外側はそれぞれ相対する第１端部３１、第２端部３２を有し、第１端部３１と第２端部３２の間は柱状部が連結する。柱状部は第１端部３１付近の第１部分及び第２端部３２付近の第２部分を有し、第１部分の直径は支柱１の位置決め部１２２の幅より小さい。【選択図】図１
0003219293.tif 000002
【実用新案登録請求の範囲】
【請求項１】
中空柱体で、外壁を有し、前記外壁の内側の様々な高さの位置に複数の溝孔が設けられ、前記溝孔は位置決め部を有している支柱と、
地面と平行に設置され、中央には地面と平行な支持部を有し、棚板の中央に近づく方向は内側、前記棚板の中央から離れる方向は外側とするとき、端縁には少なくとも一つの嵌合プレートが設置され、前記嵌合プレートには第１嵌め溝が設けられ、前記第１嵌め溝は第１支持端を有している前記棚板と、
柱状体であり、内側と外側はそれぞれ相対する第１端部、第２端部を有し、前記第１端部と前記第２端部の間は柱状部が連結しており、前記柱状部は前記第１端部に隣接する第１部分及び前記第２端部に隣接する第２部分を有する接合部材であって、
前記第１部分の直径は前記支柱の前記位置決め部の幅より小さく、また前記第２部分と前記第１部分は連結しており、その直径で前記棚板の前記第１支持端を支持し、
さらに前記第２端部から前記第１部分までの直径が徐々に小さくなって、前記第２部分の外表面に傾斜ガイド面を形成しており、
各接合部材の前記第１端部は前記支柱の前記溝孔に挿通して前記支柱に嵌合し、前記位置決め部を前記接合部材の前記第１部分に位置させることができ、
前記棚板の前記嵌合プレートの前記第１嵌め溝は前記接合部材に嵌合し、前記第１支持端が前記第２部分の前記傾斜ガイド面に位置し、前記嵌合プレートを前記第１部分の方向へオフセットさせることができる前記接合部材と、を含むことを特徴とする、フレームラック。
【請求項２】
前記支柱の前記外壁の前記溝孔の上部は挿通部を有し、
前記位置決め部は前記挿通部の下部にあり、その直径は前記挿通部より小さく、
前記接合部材の前記第１端部は前記柱状部の径方向の位置に突出した第１当接面を有し、前記第１端部の直径は前記支柱の前記溝孔の前記挿通部の幅より小さく、前記支柱の前記溝孔の前記位置決め部の幅より大きく、
前記第２端部は前記柱状部の径方向の位置に突出した第２当接面を有し、前記第２端部の直径は前記棚板の前記嵌合プレートの前記第１支持端の幅より大きく、
前記第１当接面と前記第２当接面の間隔は前記支柱の前記外壁と前記棚板の前記嵌合プレートを組合せた厚さより大きいことを特徴とする、請求項１に記載のフレームラック。
【請求項３】
前記支柱及び前記棚板の前記嵌合プレートと比べて軟らかい材質で製造される裏当てプレートを更に含み、
前記裏当てプレートには第２支持端を有する第２嵌め溝が設けられ、前記裏当てプレートを前記第２嵌め溝により前記接合部材に嵌合させて前記第２支持端を前記接合部材の前記第１部分に位置させ、前記裏当てプレートを前記支柱の前記外壁と前記棚板の前記嵌合プレートとの間に設置させることができることを特徴とする、請求項１に記載のフレームラック。
【請求項４】
前記支柱の断面は四角形または四角形以外であり、
前記外壁は第１面及び前記第１面の両側に垂直方向に位置する第２面、第３面を有し、
前記溝孔は前記第１面に設けられ、
前記裏当てプレートには前記支柱の前記第１面、前記第２面、前記第３面に対応する位置に、前記第１面、前記第２面、前記第３面に嵌合可能な第４面、第５面、第６面がそれぞれ設けられ、
前記第２嵌め溝は前記第４面に位置し、
前記棚板の前記嵌合プレートには前記裏当てプレートの前記第４面、前記第５面、前記第６面に対応する位置に、前記第４面、前記第５面、前記第６面に嵌合可能な第７面、第８面、第９面がそれぞれ設けられ、
前記第１嵌め溝は前記第７面に位置することを特徴とする、請求項３に記載のフレームラック。
【請求項５】
前記支柱の前記外壁の両側の１８０°間隔で相対する位置において、高さが対応する各位置に前記溝孔が設けられることを特徴とする、請求項１に記載のフレームラック。
【請求項６】
前記棚板の前記第１嵌め溝は前記嵌合プレートの底部から上方向に設置され、
前記第１嵌め溝の下部は第１開口を有し、頂端は前記第１支持端を有し、
前記第１開口の幅は前記第１支持端の幅より大きいことを特徴とする、請求項１に記載のフレームラック。
【請求項７】
前記裏当てプレートの前記第２嵌め溝は前記裏当てプレートの底部から上方向に設置され、
前記第２嵌め溝の下部は第２開口を有し、頂端は前記第２支持端を有し、
前記第２開口の幅は前記第２支持端の幅より大きいことを特徴とする、請求項３に記載のフレームラック。
【請求項８】
前記裏当てプレートの内側には上部から下部まで内側方向へ斜めに盛り上がる接合面が設けられることを特徴とする、請求項３に記載のフレームラック。
【請求項９】
前記裏当てプレートの裏側には前記第２嵌め溝の上部に対応する位置に、前記支柱の前記溝孔に嵌入され前記溝孔の周縁と係合可能な凸縁が設けられることを特徴とする、請求項３に記載のフレームラック。
【請求項１０】
四角形の四隅の位置に設けられた４本の前記支柱を有するフレームラックであって、
前記棚板は四角形であり、前記四角形の各前記四隅に前記嵌合プレートが設けられ、
４本の前記支柱と、複数の前記棚板と、複数の前記接合部材と、複数の前記裏当てプレートと、で四角形に構成されることを特徴とする、請求項３に記載のフレームラック。
【考案の詳細な説明】
【技術分野】
【０００１】
本考案は、フレームラックに関するものであり、主に支柱と棚板の組合せの安定性及び利便性を有するフレームラックに関する。
【背景技術】
【０００２】
既知の載置可能なフレームラックでは、主に地面に対して垂直な複数の直立支柱を備える。また各ポールの間には地面と平行な棚板が設置される。
【０００３】
例えば図１３は既知の載置用フレームラックの一つであり、図中では構造の一部だけが表されている。それは主に複数の支柱１’、数本のビーム２’、棚板３’で構成され、支柱１’、ビーム２’にはそれぞれ接合孔１１’、２１’が設けられている。
ボルト４’が接合孔１１’、２１’の適切な位置に挿通されてからナット４１’が螺合されて支柱１’、ビーム２’が組み合わされ、棚板３’が支柱１’、ビーム２’の上に置かれることで載置に供することができる。
【０００４】
しかし、上述の構造は、組立て作業者は、ボルト４’を接合孔１１’、２１’に挿通して工具でナット４１’を螺合しなければならないため、不便であるという欠点がある。
また、螺合がゆるいと、フレームラックが傾いて倒れやすくなるという危険があり、また棚板３’はそれ自体の重量によって支柱１’、ビーム２’に置かれているだけであるため、支柱と棚板の組合せの安定性が悪く、何かがぶつかった際は位置がずれて落下しやすいという欠点がある。
【０００５】
図１４、図１５は既知の別の載置用フレームラック構造である。
４本の支柱５’、複数のスリーブ６’、複数の棚板７’を備え、４本の支柱５’は地面に対して垂直に設置され、様々な高さの位置に複数の嵌め溝５１’が設けられている。
スリーブ６’は外縁がテーパ形状を呈しており、支柱５’を挟み込むことができ、嵌め溝５１’と嵌合することのできる凸縁６１’が設けられており、スリーブ６’の凸縁６１’を適当な高さの嵌め溝５１’に嵌合して位置決めすることができる。
棚板７’は地面と平行な支持部７１’を備える。支持部７１’の端面の位置には嵌合部７２’が設けられ、嵌合部７２’にはテーパ形状の嵌通孔７３’が設けられ、嵌通孔７３’がスリーブ６’に嵌合されることで棚板７’が位置決めされる。
【０００６】
上記の構造は工具による螺合を必要としないため、螺合方式と比べると簡単ではあるものの、最下層の位置Ａの棚板７’を交換したい場合には、位置Ａの上層の各棚板７’を順に取り外さなければ、最下層の位置Ａの棚板７’を取り外すことができないため、交換が不便であるという欠点がある。
また、この載置用フレームラックを拡張したい場合には、図が示すように、位置Ｂの棚板７’と位置Ｃの棚板７’に高低差が生じてしまい、支柱と棚板の組合せの一体性及び載置の利便性が悪いという欠点がある。
また、スリーブ６’は、使用し始めてから時間が経つと、亀裂を生じることがあり、スリーブ６’に亀裂が生じた場合には、棚板７’が落下してしまうため、安全性に欠ける。
【考案の概要】
【考案が解決しようとする課題】
【０００７】
本考案は、上述のような既知の載置可能なフレームラックの欠点を解消し、支柱と棚板の組合せの安定性及び利便性を有するフレームラックを提供する事を目的としている。
【課題を解決するための手段】
【０００８】
本考案は、支柱、棚板、接合部材を含む。
支柱は中空柱体で外壁を有し、外壁内側の様々な高さの位置に複数の溝孔が設けられ、溝孔は位置決め部を有する。
棚板は地面と平行に設置され、中央には地面と平行な支持部を有する。棚板の中央に近づく方向は内側、棚板の中央から離れる方向は外側とする。端縁には少なくとも一つの嵌合プレートが設置され、嵌合プレートには第１嵌め溝が設けられ、第１嵌め溝は第１支持端を有する。
接合部材は柱状体であり、内側と外側はそれぞれ相対する第１端部、第２端部を有し、第１端部と第２端部の間は柱状部が連結している。柱状部は第１端部付近の第１部分及び第２端部付近の第２部分を有し、第１部分の直径は支柱の位置決め部の幅より小さい。また第２部分と第１部分は連結しており、その直径で棚板の第１支持端を支持することができ、さらに第２端部から第１部分までの直径を徐々に小さくして、第２部分の外表面に傾斜ガイド面を形成している。各接合部材の第１端部は支柱の溝孔に挿通して支柱に嵌合し、位置決め部を接合部材の第１部分に位置させる。
棚板の嵌合プレートの第１嵌め溝は接合部材に嵌合し、第１支持端を第２部分の傾斜ガイド面に位置させることができ、嵌合プレートを第１部分の方向へオフセットさせる。
【０００９】
加えて、支柱外壁の溝孔の上部は挿通部を有する。
位置決め部は挿通部の下部にあり、その直径は挿通部より小さい。
接合部材の第１端部は柱状部の径方向の位置に突出した第１当接面を有する。第１端部の直径は支柱の溝孔の挿通部の幅より小さく、支柱の溝孔の位置決め部の幅より大きい。
接合部材の第２端部は柱状部の径方向の位置に突出した第２当接面を有する。第２端部の直径は棚板の嵌合プレートの第１支持端の幅より大きく、第１当接面と第２当接面の間隔は支柱外壁と棚板の嵌合プレートを組み合せた厚さより大きい。
【００１０】
加えて、本考案は更に裏当てプレートを含む。
裏当てプレートは支柱及び棚板の嵌合プレートと比べて軟らかい材質で製造される。
裏当てプレートには第２支持端を有する第２嵌め溝が設けられる。組立作業者は、裏当てプレートを第２嵌め溝により接合部材に嵌合させて第２支持端を接合部材の第１部分に位置させ、且つ裏当てプレートを支柱の外壁と棚板の嵌合プレートとの間に設置させる。
【００１１】
加えて、支柱の断面は四角形でもよい。その外壁は第１面及び第１面の両側に垂直方向に位置する第２面、第３面を有する。
溝孔は第１面に設けられ、裏当てプレートには支柱の第１面、第２面、第３面に対応する位置に、第１面、第２面、第３面に嵌合可能な第４面、第５面、第６面がそれぞれ設けられ、第２嵌め溝は第４面に設けられる。
棚板の嵌合プレートには裏当てプレートの第４面、第５面、第６面に対応する位置に、第４面、第５面、第６面に嵌合可能な第７面、第８面、第９面がそれぞれ設けられ、第１嵌め溝は第７面に位置する。
【００１２】
加えて、支柱外壁の両側の１８０°間隔で相対する位置には、高さが対応するそれぞれの位置に溝孔が設けられる。
【００１３】
加えて、棚板の第１嵌め溝は嵌合プレートの底部から上方向に設置される。第１嵌め溝の下部は第１開口を有し、頂端は第１支持端を有し、第１開口の幅は第１支持端の幅より大きい。
裏当てプレートの第２嵌め溝は裏当てプレートの底部から上方向に設置される。第２嵌め溝の下部は第２開口を有し、頂端は第２支持端を有し、第２開口の幅は第２支持端の幅より大きい。
【００１４】
加えて、裏当てプレートの内側には、上部から下部まで、内側方向へ斜めに盛り上がる接合面が設けられ、裏当てプレートの第２嵌め溝の上部に対応する位置の裏側には、支柱の溝孔に嵌入され、溝孔の周縁と係合可能な凸縁が設けられる。
【考案の効果】
【００１５】
本考案は、組立てる際に接合部材の第１端部を支柱の適当な高さの溝孔に挿通させることができ、先に第１端部を挿通部の上部に挿通してから下部の位置決め部まで下に移動させる。
また、支柱外壁を接合部材の第１部分に位置させ、裏当てプレートの第２嵌め溝を接合部材の第１部分に嵌入させ、第２支持端を接合部材の第１部分に密着させる。
また、裏当てプレートの凸縁を溝孔の上部の位置内に嵌入させるので、既知のフレームラックより優れた接合安定性を備えている。
【００１６】
本考案は、複数の支柱、複数の裏当てプレート、複数の接合部材、複数の棚板により四角形、三角形又は他の形状のフレームラックに構成することが可能である。
【００１７】
本考案は、棚板の嵌合プレートを裏当てプレートに嵌合させ、嵌合プレートの第１嵌め溝を接合部材の大部分に嵌入させ、さらに第１支持端を第２部分の傾斜ガイド面に密着させることで、棚板の自重及び棚板上の載置物の重さにより嵌合プレートが第１部分方向に圧迫されて裏当てプレートと緊密に接合する。
また支柱は荷重により裏当てプレートとの密着が更に安定し、支柱と棚板の組合せ全体に、より優れた安定性を具備させることができ、ぐらつきも生じない。
【００１８】
本考案は、支柱外壁の相対する両側の高さが対応する位置に溝孔を設けることができ、同一の支柱に同じ高さで２つの裏当てプレート及び２つの棚板の嵌合プレートを接合できる。
また本考案を拡張し、複数のフレームラックと組合せて、より大きなフレームラックとして構成することもできる。この際、各棚板が同じ高さを有することで、優れた支柱と棚板の組合せの一体感及び載置利便性を具備する。
【００１９】
本考案は、下層の棚板を取り外したい場合には、そのまま棚板を接合部材から外せば取り出すことができる。すなわち、上方の棚板を先に取り外す必要がなく、組立・交換に優れた利便性を持つ。また、上方の棚板を外さなくてもその棚板の下方に棚板を設置することができ、取付けが容易になる効果を持つ。
【００２０】
また本考案は、時間が経って裏当てプレートに亀裂が生じた場合でも、棚板の嵌合プレートが接合部材上にしっかり置かれていて落下することがないため、優れた安全性を具備する。
【図面の簡単な説明】
【００２１】
【図１】本考案の実施例１の分解斜視図である。
【図２】本考案の実施例１の組合せ動作の断面図である。
【図３】本考案の実施例１の組合せ動作の断面図である。
【図４】本考案の実施例１の組合せを上から見た断面図である。
【図５】本考案の実施例２の分解斜視図である。
【図６】本考案の実施例２の組合せ動作の断面図である。
【図７】本考案の実施例２の組合せ動作の断面図である。
【図８】本考案の実施例２の単独に構成されたフレームラックの斜視図である。
【図９】本考案の実施例２のフレームラックを延長して組合せた斜視図である。
【図１０】本考案の実施例２のフレームラックを延長して組合せた断面図である。
【図１１】本考案の実施例２のキャビネット状に組合せた模式図である。
【図１２】本考案の実施例３の組立斜視図である。
【図１３】既知のフレームラックの分解斜視図である。
【図１４】既知の別のフレームラックの分解斜視図である。
【図１５】既知の別のフレームラックの組合せの断面図である。
【考案を実施するための形態】
【実施例１】
【００２２】
以下の実施例中、本考案において類似の機能部材は同じ符号で表している。
図１〜４を参照する。本考案の実施例１は、支柱１、棚板２、接合部材３を含む。
そのうち棚板２の中央に近づく方向は内側、棚板２の中央から離れる方向は外側とする。
支柱１は中空柱体で、金属又は他の硬質材料で製造可能である。本実施例の支柱１の断面は四角形で、外壁１１を有し、外壁１１は第１面１１１及び第１面１１１の両側に垂直方向に位置する第２面１１２、第３面１１３を有する。第１面１１１の１８０°間隔で対応する位置には第１０面１１４を有し、外壁１１の第１面１１１の様々な高さの位置には複数の溝孔１２が設けられる。溝孔１２の上部は挿通部１２１を有し、挿通部１２１の下部は直径が挿通部より小さな位置決め部１２２を有する。支柱１の外壁１１の第１０面１１４には、第１面１１１の複数の溝孔１２の高さの位置に対応する複数の溝孔１２が設けられる。
【００２３】
棚板２は地面と平行に設置される。中央には地面と平行な支持部２１を有し、端縁には支柱１の外壁１１に嵌合可能な複数の嵌合プレート２２が設置される（図１〜４は１つの嵌合プレート２２だけを示す）。
嵌合プレート２２は、支柱１の第１面１１１、第２面１１２、第３面１１３と対応する方向に、それぞれ第７面２２１、第８面２２２、第９面２２３を有する。
嵌合プレート２２の底部には上方向支柱１の溝孔１２と対応する位置に第１嵌め溝２３が設けられ、第１嵌め溝２３の下部は第１開口２３１を有し、また頂端には第１支持端２３２を有し、第１開口２３１の幅は第１支持端２３２の幅より大きい。
【００２４】
接合部材３は金属又は他の硬質材料で製造される。柱状体であり、内側と外側はそれぞれ相対する第１端部３１、第２端部３２を有する。
第１端部３１と第２端部３２の間は柱状部３３が連結しており、第１端部３１は支柱１の溝孔１２と接合する。
第１端部３１は柱状部３３の径方向の位置に突出した第１当接面３１１を有し、第１端部３１の直径は支柱１の溝孔１２の挿通部１２１の幅より小さく、支柱１の溝孔１２の位置決め部１２２の幅より大きい。
第２端部３２は柱状部３３の径方向の位置に突出した第２当接面３２１を有し、第２端部３２の直径は棚板２の嵌合プレート２２の第１支持端２３２の幅より大きい。
柱状部３３は第１端部３１付近の第１部分３３１及び第２端部３２付近の第２部分３３２を有し、第１部分３３１の直径は支柱１の位置決め部１２２の幅より小さく、円柱形を呈している。また第２部分３３２と第１部分３３１は連結しており、その直径で棚板２の第１嵌め溝２３の第１支持端２３２を支持する。さらに、第２端部３２から第１部分３３１までの直径を徐々に小さくして、第２部分３３２の外表面に傾斜ガイド面３３３を形成している。
第１当接面３１１と第２当接面３２１の間隔は支柱１の外壁１１と棚板２の嵌合プレート２２を組合せた厚さより大きい。
【００２５】
本考案は、図２が示すように、組立てる際に接合部材３の第１端部３１が支柱１の適当な高さの溝孔１２に挿通され、先に第１端部３１が挿通部１２１の上部に挿通されてから下部の位置決め部１２２まで下に移動させる。
第１端部３１の直径が位置決め部１２２の幅より大きいので、第１当接面３１１が支柱１の外壁１１の内側表面と密着していて脱落することがなく、支柱１の外壁１１を接合部材３の第１部分３３１に位置させる。
【００２６】
図３、図４を参照する。本考案では、組立作業者は、棚板２の嵌合プレート２２を支柱１に嵌合させ、嵌合プレート２２の第１嵌め溝２３を接合部材３の第２部分３３２に嵌入させ、さらに第１支持端２３２を第２部分３３２の傾斜ガイド面３３３に密着させ、同時に第７面２２１、第８面２２２、第９面２２３をそれぞれ支柱１の第１面１１１、第２面１１２、第３面１１３に密着させる。
棚板２の自重、及び、棚板２上の載置物（図示しない）の重さが、嵌合プレート２２を傾斜ガイド面３３３に沿って外側方向に圧迫して、支柱１と緊密に接合させることにより、優れた支柱と棚板の組合せ安定性を具備する。
【実施例２】
【００２７】
図５〜７の本考案の実施例２を参照する。実施例２は実施例１と似通っている。異なる点を以下に述べる。
実施例２は、裏当てプレート４を更に含む。棚板２の嵌合プレート２２の第７面２２１は傾きを有し、接合部材３の第１当接面３１１と第２当接面３２１の間の距離は支柱１の外壁１１、裏当てプレート４、棚板２の嵌合プレート２２を組合せた厚さより大きい。
裏当てプレート４はプラスチックか、又は支柱１及び棚板２の嵌合プレート２２と比べて軟らかな他の材質で製造してもよい。裏当てプレート４は支柱１の外壁１１と棚板２の嵌合プレート２２との間に設置され、支柱１の外壁１１に嵌合可能である。裏当てプレートには支柱の第１面１１１、第２面１１２、第３面１１３に対応する位置に、第１面１１１、第２面１１２、第３面１１３に嵌合可能な第４面４１１、第５面４１２、第６面４１３がそれぞれ設けられる。その外側は棚板２の嵌合プレート２２に嵌合され得る。裏当てプレート４の底部から上方向には第２嵌め溝４２が設けられる。
第２嵌め溝４２の下部は第２開口４２１を有し、頂端は第２支持端４２２を有し、第２開口４２１の幅は第２支持端４２２の幅より大きい。棚板２の嵌合プレート２２の第７面２２１に対応する裏当てプレート４の内側には、上部から下部まで内側方向へ斜めに盛り上がる接合面４３が設けられ、接合面４３は棚板２の嵌合プレート２２の第７面２２１と密着する。また、第２嵌め溝４２の上部に対応する位置の裏側には、支柱１の溝孔１２に嵌入され、溝孔１２の周縁と係合可能な凸縁４４が設けられる。
【００２８】
本考案の実施例２では、組立て作業者は、接合部材３の第１端部３１を支柱１の適当な高さの溝孔１２に挿通させることができ、先に第１端部３１を挿通部１２１の上部に挿通してから下部の位置決め部１２２まで下に移動させる。
また、図６が示すように、裏当てプレート４の第２嵌め溝４２を接合部材３の第１部分３３１に嵌入させ、さらに第２支持端４２２を接合部材３の第１部分３３１に密着させる。また裏当てプレート４の凸縁４４を溝孔１２の上部の位置内に嵌入させる。
第４面４１１、第５面４１２、第６面４１３をそれぞれ支柱１の第１面１１１、第２面１１２、第３面１１３に密着させることで、より優れた接合安定性を備えており、裏当てプレート４が支柱１に対してねじれないようにする。
【００２９】
図７を参照する。本考案では、組立て作業者は、棚板２の嵌合プレート２２を裏当てプレート４に嵌合させ、嵌合プレート２２の第１嵌め溝２３を接合部材３の第２部分３３２に嵌入させ、さらに第１支持端２３２を第２部分３３２の傾斜ガイド面３３３に密着させ、同時に第７面２２１、第８面２２２、第９面２２３をそれぞれ裏当てプレート４の第４面４１１、第５面４１２、第６面４１３に密着させる。
棚板２の自重、及び、棚板２上の載置物（図示しない）の重さが、嵌合プレート２２を傾斜ガイド面３３３に沿って外側方向に圧迫して裏当てプレート４と緊密に接合させ、支柱１を内側方向に裏当てプレート４と密着させる。
裏当てプレート４には支柱１及び嵌合プレート２２と比べて軟らかい材質が採用される。
斜め方向の接合面４３と斜め方向の第７面２２１が密着することで、嵌合プレート２２と裏当てプレート４の密着の安定性が向上し、全体のぐらつきが生じないようにすることができるので、支柱と棚板の組合せがより緊密となり、優れた安定性を具備する。
【００３０】
図８を参照する。本考案は、単一のフレームラックに構成することができる。
そのフレームラックは四角形の四隅の位置に設けられた４本の支柱１を有する。棚板２は四角形であり、四隅に嵌合プレート２２が設けられ、４本の支柱１と複数の棚板２、複数の接合部材３、複数の裏当てプレート４（図でははっきり示されていない）とで四角形のフレームラックに構成される。
【００３１】
図９、図１０を参照する。本考案では、組立て作業者は、同一の支柱１に同じ高さで２つの裏当てプレート４及び２つの棚板２の嵌合プレート２２を接合する。
また、本考案を拡張して複数のフレームラックと組合せて構成することもできる。各棚板２が同じ高さを有することで、優れた支柱と棚板の組合せの一体感及び載置利便性を具備する。
本考案は、図８が示すように四角形のフレームラックに構成することができる。また、三角形又は他の多辺形状のフレームラックに構成することもできる（図示しない）。
【００３２】
本考案は、下層の棚板２を取り外したい場合には、そのまま棚板２を接合部材３から外せば取り出すことができる。上方の棚板２を先に取り外す必要がなく、組立・交換に優れた利便性を持つ。
また、上方の棚板２を外さなくてもその棚板２の下方に棚板２を設置することができ、取付けが容易になる効果を有する。
また本考案は、時間が経って裏当てプレート４に亀裂が生じた場合でも、棚板２を接合部材３に支えられていて落下することがないため、載置安全性及び信頼性を大幅に向上させる。
【００３３】
図１１を参照する。本考案のフレームラックは拡張して設置することができる。またパネル５、引き出し６を設置することができるため、本考案を大きなキャビネットに構成して使用することができ、支柱と棚板の組合せに優れた変化性を具備する。
【実施例３】
【００３４】
本考案の支柱１の断面は様々な形状にすることができ、図１２は本考案の実施例３が示されている。実施例３は実施例２と似通っており、異なる点を以下に述べる。
支柱１の断面が中空の円柱形であり、これに対応して裏当てプレート４及び棚板２の嵌合プレート２２は円弧形である。
接合部材（図示しない）により組合せることで、本考案が訴求する支柱と棚板の組合せの安定性に優れた効果を具備する。
本考案の支柱１の断面は、四角形、円形ではないその他の形状でもよい。
【００３５】
以上で述べたように、本考案の組立て式のフレームラックは簡単支柱と棚板の組合せの安定性に優れた効果を具備するが、上述の実施例は、本考案を例示するものであって、本考案を限定するものではない。本考案の趣旨に基づいて、同等の効果が得られる改変を行ったとしても、すべて本考案の範疇に属するものとする。本考案の技術的範囲を逸脱せずに多くの修正及び変更が可能であり、本考案の範疇は実用新案登録請求の範囲により限定される。
【符号の説明】
【００３６】
１      支柱
１１    外壁
１１１  第１面
１１２  第２面
１１３  第３面
１１４  第１０面
１２    溝孔
１２１  挿通部
１２２  位置決め部
２      棚板
２１    支持部
２２    嵌合プレート
２２１  第７面
２２２  第８面
２２３  第９面
２３    第１嵌め溝
２３１  第１開口
２３２  第１支持端
３      接合部材
３１    第１端部
３１１  第１当接面
３２    第２端部
３２１  第２当接面
３３    柱状部
３３１  第１部分
３３２  第２部分
３３３  傾斜ガイド面
４      裏当てプレート
４１１  第４面
４１２  第５面
４１３  第６面
４２    第２嵌め溝
４２１  第２開口
４２２  第２支持端
４３    接合面
４４    凸縁
５      パネル
６      引き出し
１’    支柱
１１’  接合孔
２’    ビーム
２１’  接合孔
３’    棚板
４’    ボルト
４１’  ナット
５’    支柱
５１’  嵌め溝
６’    スリーブ
６１’  凸縁
７’    棚板
７１’  支持部
７２’  嵌合部
７３’  嵌通孔
【図１】
0003219293.tif 000003
【図２】
0003219293.tif 000004
【図３】
0003219293.tif 000005
【図４】
0003219293.tif 000006
【図５】
0003219293.tif 000007
【図６】
0003219293.tif 000008
【図７】
0003219293.tif 000009
【図８】
0003219293.tif 000010
【図９】
0003219293.tif 000011
【図１０】
0003219293.tif 000012
【図１１】
0003219293.tif 000013
【図１２】
0003219293.tif 000014
【図１３】
0003219293.tif 000015
【図１４】
0003219293.tif 000016
【図１５】
0003219293.tif 000017